(57)【要約】【課題】シャワーハンガー本体の固定を解除する力と昇降させるための力を一致する方向に作用させることができ、操作力が小さくて足りるシャワーヘッド昇降支持装置を提供すること。【解決手段】スライドレール１０とシャワーハンガー２０Ａとを具備するシャワーヘッド昇降支持装置において、シャワーハンガー２０Ａは、シャワーハンガー本体２１と、レール保持部と、シャワーヘッドを係止するフック２７とを具備してなり、レール保持部は、スライドロックスプリング２２と、スライドレール１０に被嵌するスライドブロック２３と、レバー部材２６とを具備してなる。スライドロックスプリング２２は、付勢によりレール貫通部２２ｂでスライドレール１０を締め付け、かつ圧縮されるとレール貫通部２２ｂのスライドレール１０への締め付けを弛める。【選択図】図３
2008184765.tif 000002
【特許請求の範囲】
【請求項１】
浴室の壁面等に固定されるスライドレールと、このスライドレールに移動可能に固着されるシャワーハンガーとを具備してなり、
上記シャワーハンガーは、上記スライドレールを挿通する貫通部を有するシャワーハンガー本体と、このシャワーハンガー本体に設けられ上記スライドレールを保持するレール保持部と、上記シャワーハンガー本体の一側に設けられシャワーヘッドを係止するフックとを具備してなり、
上記レール保持部は、上記シャワーハンガー本体の内部に設けられ上記スライドレールに摩擦力を付勢するスライドロックスプリングと、上記シャワーハンガー本体の内部の上記スライドロックスプリングの上下に配置され上記スライドレールに対して移動可能なスライドブロックと、このスライドブロックに連結されて上記シャワーハンガー本体の外部に突出して設けられるレバー部材とを具備してなり、
上記スライドロックスプリングは、上記スライドレールを抱持する状態に貫通するレール貫通部を有し、このレール貫通部で圧縮前は付勢によりこのレール貫通部で上記スライドレールを締め付け、かつ圧縮されることによりレール貫通部の上記スライドレールへの締め付けを弛めるように構成してなる、ことを特徴とするシャワーヘッド昇降支持装置。
【請求項２】
請求項１記載のシャワーヘッド昇降支持装置において、
上記レール保持部は、上記シャワーハンガー本体の内部の上記スライドブロックの上下に配置され、上記スライドレールに摺動可能に被嵌する一対のフィットブロックを更に具備する、ことを特徴とするシャワーヘッド昇降支持装置。
【請求項３】
請求項２記載のシャワーヘッド昇降支持装置において、
上記フィットブロックが２つ割りに形成され、ばねで付勢されて上記スライドレールへ密着される、ことを特徴とするシャワーヘッド昇降支持装置。
【請求項４】
請求項１ないし３のいずれかに記載のシャワーヘッド昇降支持装置において、
上記スライドロックスプリングの少なくともレール貫通部に合成樹脂製のカバー層が被覆され、このカバー層が上記スライドレールに摺接する、ことを特徴とするシャワーヘッド昇降支持装置。
【請求項５】
請求項１ないし４のいずれかに記載のシャワーヘッド昇降支持装置において、
上記スライドレールは外面が円筒であり、このスライドレールの周りにシャワーハンガー本体が回転可能に形成される、ことを特徴とするシャワーヘッド昇降支持装置。
【発明の詳細な説明】
【技術分野】
【０００１】
この発明は、浴室の壁面等に設置されシャワーヘッドを係止する高さを自由に変更できるシャワーヘッド昇降支持装置に関するものである。
【背景技術】
【０００２】
従来、シャワーヘッド昇降支持装置は、浴室の壁面等に設置されるスライドレールと、このスライドレールに摺動自在かつ固定・固定解除自在に設けられるシャワーハンガーとで主に構成されている。このシャワーヘッド昇降支持装置は、シャワーハンガーにシャワーヘッドを係止するフックを備えており、シャワーハンガーの高さを変更できるので、シャワーヘッドを係止する高さを自由に変更できる。
【０００３】
従来のこの種のシャワーヘッド昇降支持装置において、シャワーハンガー本体の側面にレバー部材を備えており、レバー部材の先端をばねの付勢力によりスライドバーの表面に押し付けて固定し、レバー部材を押すことによりスライドバーに対する固定を解除して昇降させる構造のものが知られている（例えば、特許文献１参照）。
【特許文献１】特開２００２−３６４０３７号公報（特許請求の範囲、図１）
【発明の開示】
【発明が解決しようとする課題】
【０００４】
しかしながら、特許文献１に記載のものは、シャワーヘッドを係止する高さを自由に変更できるが、シャワーヘッドを係止するシャワーハンガー本体をシャワーヘッドの重量や水圧に抗して設定した高さに確実に保持するためには、強いばね力が必要となる。このように強いばね力を設けると、固定を解除するためにレバー部材をシャワーハンガー本体の側面に押し込む操作にも大きな力が必要となる。また、固定を解除する力とハンガー本体を昇降させるための力を、それぞれ別の方向に作用させる必要があり、このため、シャワーハンガー本体をしっかり掴んで操作しなければ、レバー部材を押す方向に回転したり、急激に降下したりするおそれがある。また、ばね部材をスライドバーから離れた外方位置に収容するため、ハンガー部の突出が大きくなり、邪魔になるという問題がある。
【０００５】
この発明は、上記事情に鑑みなされたもので、シャワーハンガー本体の固定を解除する力と昇降させるための力を一致する方向に作用させることができて、シャワーハンガー本体の固定を解除する操作力が小さくて足り、シャワーハンガー本体をしっかり掴んで操作しなくても、シャワーハンガー本体をスライドレールの周方向に回転したり、急激に降下したりするおそれがないシャワーヘッド昇降支持装置を提供することを目的とするものである。
【課題を解決するための手段】
【０００６】
上記目的を達成するために、この発明のシャワーヘッド昇降支持装置は、スライドレールと、このスライドレールに移動可能に固着されるシャワーハンガーとを具備してなり、上記シャワーハンガーは、上記スライドレールを挿通する貫通部を有するシャワーハンガー本体と、このシャワーハンガー本体に設けられ上記スライドレールを保持するレール保持部と、上記シャワーハンガー本体の一側に設けられシャワーヘッドを係止するフックとを具備してなり、上記レール保持部は、上記シャワーハンガー本体の内部に設けられ上記スライドレールに摩擦力を付勢するスライドロックスプリングと、上記シャワーハンガー本体の内部の上記スライドロックスプリングの上下に配置され上記スライドレールに対して移動可能なスライドブロックと、このスライドブロックに連結されて上記シャワーハンガー本体の外部に突出して設けられるレバー部材とを具備してなり、上記スライドロックスプリングは、上記スライドレールを抱持する状態に貫通するレール貫通部を有し、このレール貫通部で圧縮前は付勢によりこのレール貫通部で上記スライドレールを締め付け、かつ圧縮されることによりこのレール貫通部の上記スライドレールへの締め付けを弛めるように構成してなる、ことを特徴とする（請求項１）。
【０００７】
このように構成することにより、スライドロックスプリングが、スライドレールを抱持してスライド方向に沿って伸縮し、締め付けの摩擦力を増減する。このため、上側のレバー部材に小さな操作力を掛けて上側のスライドブロックを押し下げることが容易であり、スライドブロックを押し下げると、スプリングが収縮し摩擦力が小さくなりシャワーハンガー本体が下方へ押し下げられ、操作力を解除すると、シャワーハンガー本体がスライドレールにガタツキなく確実に固定される。同様に、下側のレバー部材に操作力を掛けて下側のスライドブロックを押し上げると、スプリングが収縮し摩擦力が小さくなり、シャワーハンガー本体を上方へ押し上げられ、操作力を解除すると、シャワーハンガー本体がスライドレールに固定される。
【０００８】
また、この発明のシャワーヘッド昇降支持装置において、上記レール保持部は、上記シャワーハンガー本体の内部の上記スライドブロックの上下に配置され上記スライドレールに摺動可能に被嵌する一対のフィットブロックを備える方が好ましい（請求項２）。この場合、上記フィットブロックを２つ割りに形成し、ばねで付勢されて上記スライドレールへの密着する方が好ましい（請求項３）。
【０００９】
また、この発明のシャワーヘッド昇降支持装置において、スライドロックスプリングの少なくともレール貫通部に合成樹脂製のカバー層を被覆し、このカバー層を上記スライドレールに摺接する方が好ましい（請求項４）。
【００１０】
また、この発明のシャワーヘッド昇降支持装置において、上記スライドレールは外面が円筒であり、このスライドレールの周りにシャワーハンガー本体が回転可能とされることが好ましい（請求項５）。
【発明の効果】
【００１１】
以上に詳述したように、この発明のシャワーヘッド昇降支持装置によれば、上記のように構成されているので、以下の効果が得られる。
【００１２】
（１）請求項１記載の発明によれば、以下のような優れた効果が得られる。
【００１３】
（1−ａ）スライドレールの貫通部分をスライドロックスプリングが抱持して締め付けるので、シャワーハンガー本体はスライドレールにガタツキなく確実に固定できる。
【００１４】
（1−ｂ）スライドロックスプリングにスライドレールが貫通する構造であるので、スライドレールの外方にスプリングを設ける必要はなく、レバー部材シャワーハンガーをスライドレールからの突出を小さくすることができるので、邪魔にならない。
【００１５】
（1−ｃ）上側のレバー部材により上側のスライドブロックを押し下げると、スプリングが収縮し摩擦力が小さくなりシャワーハンガー本体が下方へ押し下げられ、また、下側のレバー部材により下側のスライドブロックを押し下げると、スプリングが収縮し摩擦力が小さくなりシャワーハンガー本体が上方へ押し上げられるので、シャワーハンガー本体の固定を解除する力と昇降させるための力を一致する方向に作用させることができる。このため、シャワーハンガー本体をしっかり掴んで操作しなくて良く、小さな操作力でシャワーハンガー本体の固定を解除することができる。
【００１６】
（1−ｄ）スライドロックスプリングは、収縮に応じて摩擦力が減少するため、レバー部材操作時においてもスライドレールに適度の摩擦力が働き、操作力が小さくて足りるので、急激に降下したりするおそれがなく、円滑に移動させることができる。
【００１７】
（２）請求項２記載の発明によれば、一対のフィットブロックが離間してスライドレールに密着するので、上記（１）に加えて、更にシャワーハンガー本体を昇降させる際に、シャワーハンガー本体にモーメント作用が生起しにくく、シャワーハンガー本体のガタツキがない移動が保証される。
【００１８】
（３）請求項３記載の発明によれば、上記（２）に加えて、更にばねの付勢によりガタツキを防止することができるので、シャワーハンガー本体の移動機能が低下せずガタツキがない移動が保証される。
【００１９】
（４）請求項４記載の発明によれば、上記（１）〜（３）に加えて、更にスライドロックスプリングを被覆する合成樹脂製のカバー層がスライドレールに摺接するので、シャワーハンガー本体の停止時には摩擦力を高めて確実にスライドレールに係止でき、また、シャワーハンガー本体の昇降時にはメタルタッチを抑えて不快音の発生を防止することができる。
【００２０】
（５）請求項５記載の発明によれば、上記（１）〜（４）に加えて、更にシャワーハンガー本体をスライドレールの周方向に回転できる機能を備えるので、シャワーヘッドの使用範囲が広がる。そして、操作力が小さいので、シャワーハンガー本体をしっかり掴んで操作しなくても、シャワーハンガー本体をスライドレールの周方向に回転したりするおそれがない。
【発明を実施するための最良の形態】
【００２１】
以下に、この発明の最良の実施形態について、添付図面に基づいて詳細に説明する。
【００２２】
◎第１実施形態
図１は、この発明の第１実施形態に係るシャワーヘッド昇降支持装置にシャワーヘッドを掛ける状態を示す斜視図である。
【００２３】
上記シャワーヘッド昇降支持装置１００は、浴室の壁面等に上下方向に固定される、手摺の機能を有するスライドレール１０と、スライドレール１０に昇降可能に固着されるシャワーハンガー２０Ａとを具備してなる。
【００２４】
上記スライドレール１０は、例えば、ステンレス製のパイプ材にて形成されている。スライドレール１０は、浴室の壁面等にねじにより上下配置に固定される一対のブラケット１１，１２に上下端を固定されることにより、浴室の壁面等より平行に離れて設けられる。そして、スライドレール１０の上下端には化粧キャップ１３，１４が被嵌される。ブラケット１１，１２及び化粧キャップ１３，１４は、例えば、合成樹脂製又はアルミダイキャスト製の成形品にて形成されている。
【００２５】
上記シャワーハンガー２０Ａは、左右対称の半割体をスライドレール１０を抱持して合体するシャワーハンガー本体２１を備えている。このシャワーハンガー本体２１は、ボックス形状であり、スライドレール１０が上下に貫通する。シャワーハンガー２０Ａは、２つ割りの成形体２１ａが合体されることにより、上下面にスライドレール１０を挿通する貫通部２１ｂを形成するシャワーハンガー本体２１を具備する。このシャワーハンガー本体２１内には、中央部にスライドロックスプリング２２を備え、このスライドロックスプリング２２の上側と下側に一対のスライドブロック２３を備え、更に、スライドブロック２３の上側と下側に一対のフィットブロック２４を備えている（図２及び図３参照）。
【００２６】
上記スライドロックスプリング２２は、スライドレール１０に摩擦力を付勢し係止する手段である。このスライドロックスプリング２２は、長矩形のステンレス薄板にスライドレール１０の径よりも若干大きい円孔である２つのレール貫通部２２ｂを開けて略「く」の字に屈曲したスプリング本体２２ａと、レール貫通部２２ｂを被覆する耐久性が大きい合成樹脂製のカバー層２２ｃとからなる。このカバー層２２ｃは、軟質合成樹脂にて形成され、例えばディッピング等によってスプリング本体２２ａに被覆される。更に、スライドロックスプリング２２は舌片状締付部２２ｄを有している（図４参照）。
【００２７】
この舌片状締付部２２ｄは、長矩形のステンレス薄板にレール貫通部２２ｂを加工する際に、円の一側に内方に突出する短い舌片部を設けて、この舌片部をレール貫通部２２ｂの開口面に対して略直角に折り曲げてカバー層２２ｃで被覆した部分である。舌片状締付部２２ｄがあることで、カバー層２２ｃのスライドレール１０に対する密着面積が大きく確保され、このカバー層２２ｃの耐摩耗強度が高められている。
【００２８】
また、スライドロックスプリング２２は、レール貫通部２２ｂにスライドレール１０を貫通し、カバー層２２ｃがスライドレール１０に摺接する。スライドロックスプリング２２は、両端に力を加えて両端を接近させて「く」の字の屈曲角度を小さくすることにより復帰力を蓄勢した状態で、２つのレール貫通部２２ｂにスライドレール１０を貫通した後、両端に加えた力を解除することにより、スライドレール１０に摩擦力を付勢して抱持状態に組み込まれている（図３参照）。
【００２９】
このようにして、スライドロックスプリング２２は、各レール貫通部２２ｂの傾斜方向の上縁と下縁でスライドレール１０に摩擦力を付勢して締め付けスライドレール１０に固着し、両端に力を加えられて両端が接近し「く」の字の屈曲角度が小さくなる（圧縮される）と、各レール貫通部２２ｂの傾斜方向の上縁と下縁によるスライドレール１０への締め付けを弛めるように構成されている。
【００３０】
上記スライドブロック２３は、例えば合成樹脂成形体にて形成されており、肉厚矩形板にスライドレール１０を通す円孔２３ｃを設けてなる形状のブロック本体２３ａと、ブロック本体２３ａの両側面より突設された係止突起２３ｂとからなる。ブロック本体２３ａは、シャワーハンガー本体２１の側面に開設された窓部２１ｃ内を貫通して外部に突出している。このスライドブロック２３は、シャワーハンガー本体２１内においてスライドレール１０の長手方向に例えば３ｍｍストローク可能である（図２及び図３参照）。
【００３１】
上記フィットブロック２４は、シャワーハンガー本体２１の内面より内方へ突設された区画リブ２１ｈで仕切られた区画に収容されている（図３参照）。フィットブロック２４は、半円状の内面に平行な複数（図面では５個の場合を示す）の摺接リブ２４ｄを有すると共に、２つ割に形成され、ばね２５で付勢されてスライドレール１０へ密着されている。この場合、図６に示すように、一方のフィットブロック２４の外側面の２箇所に設けられたばね受け凹所２４ａ内に、それぞれ、ばね２５を外方に突出した状態に収容し、他方のフィットブロック２４の外側の２箇所に設けられたねじ孔２４ｂに、シャワーハンガー本体２１の成形体２１ａを貫通する固定ねじ２４ｃを螺合することによって、両フィットブロック２４は、ばね２５で付勢されてスライドレール１０へ密着される。
【００３２】
フィットブロック２４は、ばね２５の付勢によりガタツキを防止することができると共に、シャワーハンガー本体２１を昇降させる際には、内面に設けられた摺接リブ２４ｄによりスライドレール１０との摩擦を少なくできるので、円滑に昇降させることができる。これにより、シャワーハンガー本体２１の移動機能が低下せずガタツキがない移動が保証される。
【００３３】
シャワーハンガー２０Ａは、シャワーハンガー本体２１の外側に計４つのレバー部材２６を備えている（図１〜図３，図６参照）。この場合、各レバー部材２６は、一側面に角穴２６ａを有し、この角穴２６ａを、シャワーハンガー本体２１の側面に開設された窓部２１ｃより突出するスライドブロック２３の係止突起２３ｂに嵌着されている。レバー部材２６は、窓部２１ｃ内をスライドレール１０の長手方向に例えば３ｍｍのストロークで移動可能である（図３参照）。
【００３４】
また、シャワーハンガー２０Ａは、シャワーハンガー本体２１の外面一側にフック２７を備えている。このフック２７は、シャワーハンガー本体２１の外面一側に突設された一対のブラケット２１ｄ，２１ｄにより両端支持されている（図１及び図２参照）。また、フック２７は、図６に示すように、両側の端面を一対のブラケット２１ｄ，２１ｄ間に密着するように挟入され、両端を止めねじ２８で止められている。止めねじ２８は、各ブラケット２１ｄの外方から各ブラケット２１ｄに設けた孔２１ｅを貫通して、フック２７の端面に設けられたねじ孔２７ａに堅く締め付けられている。止めねじ２８とブラケット２１ｄは、軸と軸受の関係に嵌合していることにより、フック２７は、止めねじ２８と一体に垂直面内に回動可能である。
【００３５】
フック２７は、横軸円筒体の中央に上側が大径で下側が小径のテーパ空間を貫通形成し、かつ前側が開いているシャワーヘッド係止面２７ｂを備え、このシャワーヘッド係止面２７ｂにシャワーヘッドSHを上方から挿し込んで引っ掛けて係止できる（図２，図３及び図６参照）。また、フック２７は、背面中央部に突起２７ｃを備え、この突起２７ｃをシャワーハンガー本体２１に設けた縦長の凹部２１ｇに進入係合されており、垂直面内の揺動可能な範囲を制限されている（図３参照）。
【００３６】
更に、フック２７は、背面の突起２７ｂを挟んだ両側円筒面に側方から見て波形状に連なる係止溝２７ｄを備え、この係止溝２７ｄの一つの谷部に、シャワーハンガー本体２１の外面に、図示しないばねの付勢によって突設される垂直断面が略三角形である係止リブ２１ｆが位置してインデックス係止される。そして、係止リブ２１ｆが係止溝２７ｄの一つの谷部から脱出して隣接の谷部に移動可能である（図２参照）。
【００３７】
従って、フック２７は、垂直面内に揺動されるとき、内部よりばねによって付勢されている係止リブ２１ｆが係止溝２７ｄの一つの谷部から他の谷部へ移るときに操作者の手にクリック感を与えつつ、例えば１０°の分割角度で位置決めされてシャワーヘッドSHの傾き角度を調整できる。
【００３８】
この実施の形態によれば、シャワーハンガー２０Ａが、スライドレール１０に対して昇降可能かつ回動可能に係合している（図２、図３参照）。
【００３９】
シャワーヘッドSHの傾きを変えるには、シャワーヘッドSHを係止するフック２７の傾きを変える。この場合、シャワーヘッドSHを掴んでフック２７の傾きを変えることができる。シャワーヘッドSHの高さを変えるには、シャワーハンガー２０Ａの高さを変える。上側のスライドブロック２３を押し下げると、スライドロックスプリング２２の上側のレール貫通部２２ｂの傾斜角が小さくなると共に、下側のレール貫通部２２ｂの傾斜角が小さくなるので、上下のレール貫通部２２ｂのスライドレール１０に対する締め付け力が共に弱まり、上下一対のフィットブロック２４がスライドレール１０にガタツキなく密着するので、シャワーハンガー２０Ａがガタツキなく下方へ押し下げられる。そして、スライドブロック２３を押し下げる力を解除すると、シャワーハンガー２０Ａがスライドレール１０にガタツキなく確実に固定される（図３（ｂ）参照）。
【００４０】
同様に、下側のスライドブロック２３を押し上げると、スライドロックスプリング２２の下側のレール貫通部２２ｂの傾斜角が小さくなると共に、上側のレール貫通部２２ｂの傾斜角が小さくなるので、上下のレール貫通部２２ｂのスライドレール１０に対する締め付け力が共に弱まり、シャワーハンガー２０Ａが上方へガタツキなく押し上げられる。そして、スライドブロック２３を押し上げる力を解除すると、シャワーハンガー２０Ａがスライドレール１０にガタツキなく確実に固定される。
【００４１】
上記実施形態によれば、シャワーヘッドSHの向きを変えるには、シャワーヘッドSHのフック２７に対する嵌合をやり直し向きを変えることで行えるが、シャワーハンガー２０Ａをスライドレール１０の回りに回動することにより行えるので、利便性の向上が図れる。シャワーハンガー２０Ａをスライドレール１０の回りに回動するには、上下のスライドブロック２３に操作力を掛けて、上下のスライドブロック２３を互いに接近させ、スライドロックスプリング２２のスライドレール１０に対する締め付け力を緩めて、シャワーハンガー２０Ａをスライドレール１０の回りに回動した後、上下のスライドブロック２３から手を離すと、スライドロックスプリング２２の締め付け力を増してシャワーハンガー２０Ａが再びスライドレール１０に固着する。
【００４２】
上記実施形態によれば、シャワーハンガー本体２１の固定を解除する力と昇降させるための力を一致する方向に作用させることができるので、シャワーハンガー本体２１の固定を解除する操作力が小さくて足り、シャワーハンガー本体２１をしっかり掴んで操作しなくても、シャワーハンガー本体２１をスライドレールの周方向に回転したり、急激に降下したりするおそれがない。
【００４３】
◎第２実施形態
図７は、この発明に係るシャワーヘッド昇降支持装置の第２実施形態の固定状態を示す断面図である。
【００４４】
この第２実施形態のシャワーハンガー２０Ｂは、スライドロックスプリング２９及びスライドブロック３０が第１実施形態のスライドロックスプリング２２Ａ及びスライドブロック２３と相違しており、その他の構成は、第１実施形態の構成と同一である。このため、シャワーハンガー２０Ｂについて、他の構成・作用・効果は、第１実施形態のシャワーハンガー２０Ａの対応する構成要素と同一の符号を付して説明は省略する。
【００４５】
このシャワーハンガー２０Ｂは、圧縮コイルばねからなるスライドロックスプリング２９を採用している。このスライドロックスプリング２９は、ステンレス線からなる圧縮コイルばねに合成樹脂を被覆してなる。このスライドロックスプリング２９は、圧縮しない状態におけるコイル内径がスライドレール１０の外径よりも若干寸法、例えば１ｍｍ小さく巻き線成形されていて、圧縮されてコイル内径をスライドレール１０の外径よりも大きく拡径されて内側にスライドレール１０を貫通している。従って、このスライドロックスプリング２９は、スライドレール１０に巻き付いて摩擦力を付勢し締め付けている。
【００４６】
スライドブロック３０は、凹部にスライドロックスプリング２９の巻き端を収容する形状に形成されている。スライドブロック３０を押圧すると、押圧力をスライドロックスプリング２９の巻き端に対してコイル軸方向に伝達できるようになっている。
【００４７】
上記実施形態によれば、シャワーハンガー２０Ａの高さを変える場合、上側のスライドブロック２３を押し下げると、スライドロックスプリング２９が圧縮されてコイル内径がスライドレール１０の外径よりも大きく拡径されるので、スライドロックスプリング２９のスライドレール１０に対する締め付け力が弱まり、上下一対のフィットブロック２４がスライドレール１０にガタツキなく密着するので、シャワーハンガー２０Ａがガタツキなく下方へ押し下げられる。そして、スライドブロック２３を押し下げる力を解除すると、上下一対のフィットブロック２４がスライドレール１０にガタツキなく密着するので、シャワーハンガー２０Ａがスライドレール１０にガタツキなく確実に固定される。
【００４８】
同様に、下側のスライドブロック２３を押し上げると、スライドロックスプリング２９が圧縮されてコイル内径がスライドレール１０の外径よりも大きく拡径されるので、スライドロックスプリング２９のスライドレール１０に対する締め付け力が弱まり、シャワーハンガー２０Ａが上方へガタツキなく押し上げられる。そして、スライドブロック２３を押し上げる力を解除すると、シャワーハンガー２０Ａがスライドレール１０にガタツキなく確実に固定される。
【００４９】
上記第２実施形態によれば、シャワーヘッドSHの向きを変えるには、シャワーヘッドSHのフック２７に対する嵌合をやり直して、向きを変えることで行えるが、シャワーハンガー２０Ａをスライドレール１０の回りに回動することにより行えるので、利便性の向上が図れる。シャワーハンガー２０Ａをスライドレール１０の回りに回動するには、上下のスライドブロック２３に操作力を掛けて、上下のスライドブロック２３を互いに接近させ、スライドロックスプリング２９のスライドレール１０に対する締め付け力を緩めて、シャワーハンガー２０Ａをスライドレール１０の回りに回動した後、上下のスライドブロック２３から手を離すと、スライドロックスプリング２９の締め付け力を増してシャワーハンガー２０Ａが再びスライドレール１０に固着する。スライドブロック２３によりスライドロックスプリング２９が圧縮され、スライドロックスプリング２９の内径が大きくなっていき、スライドロックスプリング２９のスライドレール１０に対する締め付け力が次第に弛むことになり、スライドロックスプリング２９の内径がスライドレール１０の外径よりも大きく拡径されると、シャワーハンガー２０Ａが移動可能、かつ回動可能となる。
【００５０】
以上、図面を参照して、この発明に係るシャワーヘッド昇降支持装置の実施形態を詳述してきたが、この発明は、上記実施形態に限定されるものでなく、この発明の要旨を逸脱しない範囲内で種々の設計変更をした形態を含むものである。
【図面の簡単な説明】
【００５１】
【図１】この発明の第１実施形態に係るシャワーヘッド昇降支持装置にシャワーヘッドを掛ける状態を示す斜視図である。
【図２】図１のシャワーハンガーの分解斜視図である。
【図３】（ａ）は、図１のシャワーハンガーの固定状態を示す断面図、（ｂ）は、シャワーハンガーの下方移動状態を示す断面図である。
【図４】第１実施形態におけるスライドロックスプリングの斜視図である。
【図５】第１実施形態におけるスライドロックスプリングの動作説明図である。
【図６】この発明におけるフィットブロックの取り付け状態を示す一部断面図である。
【図７】この発明に係るシャワーヘッド昇降支持装置の第２実施形態の固定状態を示す断面図である。
【符号の説明】
【００５２】
１００  シャワーヘッド昇降支持装置
１０  スライドレール
２０Ａ、２０Ｂ  シャワーハンガー
２１  シャワーハンガー本体
２２  スライドロックスプリング（レール保持部）
２２ｂ  レール貫通部
２２ｃ  合成樹脂製カバー層
２３  スライドブロック（レール保持部）
２４  フィットブロック
２４ｄ  摺接リブ
２５  ばね
２６  レバー部材（レール保持部）
２７  フック
２９  スライドロックスプリング（レール保持部）
３０  スライドブロック
【図１】
2008184765.tif 000003
【図２】
2008184765.tif 000004
【図３】
2008184765.tif 000005
【図４】
2008184765.tif 000006
【図５】
2008184765.tif 000007
【図６】
2008184765.tif 000008
【図７】
2008184765.tif 000009